(57)【要約】本開示のある態様は、ヘテロジニアスなネットワークにおけるブロードキャスト信号の保護を提供する。本明細書に記載されているように、第１のセルにおけるダウンリンク送信のために使用される第１のリソースのセットは、第２のセルにおけるブロードキャスト信号のために使用される第２のリソースのセットとオーバラップしうる。ブロードキャスト信号は、第１のセルにおけるダウンリンク送信のために、第３のリソースのセットを割り当てることによって保護されうる。ここで、第３のリソースのセットは、オーバラップするリソースのセットに少なくとも部分的に基づく。
2013515396.tif 000002
【特許請求の範囲】
【請求項１】
無線通信ネットワークにおける無線通信のための方法であって、
第１のセル内の１または複数の第１のユーザ機器（ＵＥ）へのダウンリンク送信のための第１のリソースのセットを決定することと、
第２のセル内の１または複数の第２のＵＥへブロードキャスト信号を送信する際に使用するための第２のリソースのセットを決定することと、ここで、前記第１のリソースのセットと、前記第２のリソースのセットとは、時間および周波数において少なくとも部分的にオーバラップする、オーバラップするリソースのセットを備える、
前記第１のセルにおける前記ダウンリンク送信のために、第３のリソースのセットを割り当てることと、ここで、前記第３のリソースのセットは、前記オーバラップするリソースのセットに、少なくとも部分的に基づく、
を備える方法。
【請求項２】
前記ブロードキャスト信号は、物理ブロードキャスト・チャネル（ＰＢＣＨ）、１次同期信号（ＰＳＳ）、２次同期信号（ＳＳＳ）、共通基準信号（ＣＲＳ）、または、チャンネル状態情報基準信号（ＣＳＩ−ＲＳ）、のうちの少なくとも１つを備える、請求項１に記載の方法。
【請求項３】
前記第３のリソースのセットは、前記第１のリソースのセットのサブセットを備える、請求項１に記載の方法。
【請求項４】
前記ダウンリンク送信に使用されない、前記第１のリソースのセットにおけるリソースは、前記オーバラップするリソースのセットのうちのすべてまたはサブセットを備える、請求項１に記載の方法。
【請求項５】
前記ダウンリンク送信の復調は、共通基準信号（ＣＲＳ）に基づく、請求項４に記載の方法。
【請求項６】
前記ダウンリンク送信に使用されない、前記第１のリソースのセットにおけるリソースは、すべての前記オーバラップするリソースのセットと、前記第１のリソースのセット内の少なくとも１つの更なるリソースとを備える、請求項１に記載の方法。
【請求項７】
前記少なくとも１つの更なるリソースは、前記オーバラップするリソースのセットと同じリソース・ブロックのセットにある、請求項６に記載の方法。
【請求項８】
前記無線通信ネットワークは、ヘテロジニアスなネットワークを備え、前記第１のセルと前記第２のセルとは、異なる電力クラスのタイプからなる、請求項１に記載の方法。
【請求項９】
前記ダウンリンク送信は、物理ダウンリンク共有チャネル（ＰＤＳＣＨ）を用いる、請求項１に記載の方法。
【請求項１０】
前記ＰＤＳＣＨの符号化されたシンボルと、変調されたシンボルとのマッピングは、前記第１のリソースのセットにあるが前記第３のリソースのセットにはないリソースを用いない、請求項９に記載の方法。
【請求項１１】
前記ダウンリンク送信の符号化されたシンボルと変調されたシンボルとのマッピングは、前記第１のリソースのセットにおけるリソースを用い、
前記第１のリソースのセットにおけるリソースを用いるが前記第３のリソースのセットにおけるリソースを用いない送信が、ゼロ電力で実行される、請求項９に記載の方法。
【請求項１２】
前記第１のセルと前記第２のセルとの間で、バックホール接続を介して、前記第１のリソースのセットまたは前記第２のリソースのセットのうちの少なくとも１つに関する情報を交換すること、をさらに備える請求項１に記載の方法。
【請求項１３】
前記第１のセルにおける前記ダウンリンク送信は、共通基準信号（ＣＲＳ）、チャネル状態情報基準信号（ＣＳＩ−ＲＳ）、またはこれらの組み合わせのうちの少なくとも１つを備える、請求項１に記載の方法。
【請求項１４】
前記第１のセルにおける前記ダウンリンク送信は、ほとんどブランクであるサブフレーム（ＡＢＳＦ）で送信される、請求項１に記載の方法。
【請求項１５】
前記第１のセルのキャリアは、ロング・ターム・イボリューションのリリース９またはそれ以前のリリースとの後方互換性を持たない拡張キャリアまたはキャリア・セグメントのうちの少なくとも１つを備える、請求項１に記載の方法。
【請求項１６】
無線通信ネットワークにおける無線通信のための装置であって、
第１のセル内の１または複数の第１のユーザ機器（ＵＥ）へのダウンリンク送信のための第１のリソースのセットを決定する手段と、
第２のセル内の１または複数の第２のＵＥへブロードキャスト信号を送信する際に使用するための第２のリソースのセットを決定する手段と、ここで、前記第１のリソースのセットと、前記第２のリソースのセットとは、時間および周波数において少なくとも部分的にオーバラップする、オーバラップするリソースのセットを備える、
前記第１のセルにおける前記ダウンリンク送信のために、第３のリソースのセットを割り当てる手段と、ここで、前記第３のリソースのセットは、前記オーバラップするリソースのセットに、少なくとも部分的に基づく、
を備える装置。
【請求項１７】
前記ブロードキャスト信号は、物理ブロードキャスト・チャネル（ＰＢＣＨ）、１次同期信号（ＰＳＳ）、２次同期信号（ＳＳＳ）、共通基準信号（ＣＲＳ）、または、チャンネル状態情報基準信号（ＣＳＩ−ＲＳ）、のうちの少なくとも１つを備える、請求項１６に記載の装置。
【請求項１８】
前記第３のリソースのセットは、前記第１のリソースのセットのサブセットを備える、請求項１６に記載の装置。
【請求項１９】
前記ダウンリンク送信に使用されない、前記第１のリソースのセットにおけるリソースは、前記オーバラップするリソースのセットのうちのすべてまたはサブセットを備える、請求項１６に記載の装置。
【請求項２０】
前記ダウンリンク送信の復調は、共通基準信号（ＣＲＳ）に基づく、請求項１９に記載の装置。
【請求項２１】
前記ダウンリンク送信に使用されない、前記第１のリソースのセットにおけるリソースは、すべての前記オーバラップするリソースのセットと、前記第１のリソースのセット内の少なくとも１つの更なるリソースとを備える、請求項１６に記載の装置。
【請求項２２】
前記少なくとも１つの更なるリソースは、前記オーバラップするリソースのセットと同じリソース・ブロックのセットにある、請求項２１に記載の装置。
【請求項２３】
前記無線通信ネットワークは、ヘテロジニアスなネットワークを備え、
前記第１のセルと前記第２のセルとは、異なる電力クラスのタイプからなる、請求項１６に記載の装置。
【請求項２４】
前記ダウンリンク送信は、物理ダウンリンク共有チャネル（ＰＤＳＣＨ）を用いる、請求項１６に記載の装置。
【請求項２５】
前記ＰＤＳＣＨの符号化されたシンボルと、変調されたシンボルとのマッピングは、前記第１のリソースのセットにあるが前記第３のリソースのセットにはないリソースを用いない、請求項２４に記載の装置。
【請求項２６】
前記ダウンリンク送信の符号化されたシンボルと変調されたシンボルとのマッピングは、前記第１のリソースのセットにおけるリソースを用い、
前記第１のリソースのセットにおけるリソースを用いるが前記第３のリソースのセットにおけるリソースを用いない送信が、ゼロ電力で実行される、請求項２４に記載の装置。
【請求項２７】
前記第１のセルと前記第２のセルとの間で、バックホール接続を介して、前記第１のリソースのセットまたは前記第２のリソースのセットのうちの少なくとも１つに関する情報を交換する手段、をさらに備える請求項１６に記載の装置。
【請求項２８】
前記第１のセルにおける前記ダウンリンク送信は、共通基準信号（ＣＲＳ）、チャネル状態情報基準信号（ＣＳＩ−ＲＳ）、またはこれらの組み合わせのうちの少なくとも１つを備える、請求項１６に記載の装置。
【請求項２９】
前記第１のセルにおける前記ダウンリンク送信は、ほとんどブランクであるサブフレーム（ＡＢＳＦ）で送信される、請求項１６に記載の装置。
【請求項３０】
前記第１のセルのキャリアは、ロング・ターム・イボリューションのリリース９またはそれ以前のリリースとの後方互換性を持たない拡張キャリアまたはキャリア・セグメントのうちの少なくとも１つを備える、請求項１６に記載の装置。
【請求項３１】
無線通信ネットワークにおける無線通信のための装置であって、
第１のセル内の１または複数の第１のユーザ機器（ＵＥ）へのダウンリンク送信のための第１のリソースのセットを決定し、
第２のセル内の１または複数の第２のＵＥへブロードキャスト信号を送信する際に使用するための第２のリソースのセットを決定し、ここで、前記第１のリソースのセットと、前記第２のリソースのセットとは、時間および周波数において少なくとも部分的にオーバラップする、オーバラップするリソースのセットを備える、
前記第１のセルにおけるダウンリンク送信のために、第３のリソースのセットを割り当てる、ここで、前記第３のリソースのセットは、前記オーバラップするリソースのセットに、少なくとも部分的に基づく、
ように構成された少なくとも１つのプロセッサと、
前記少なくとも１つのプロセッサに接続されたメモリと、
を備える装置。
【請求項３２】
前記ブロードキャスト信号は、物理ブロードキャスト・チャネル（ＰＢＣＨ）、１次同期信号（ＰＳＳ）、２次同期信号（ＳＳＳ）、共通基準信号（ＣＲＳ）、または、チャンネル状態情報基準信号（ＣＳＩ−ＲＳ）、のうちの少なくとも１つを備える、請求項３１に記載の装置。
【請求項３３】
前記第３のリソースのセットは、前記第１のリソースのセットのサブセットを備える、請求項３１に記載の装置。
【請求項３４】
前記ダウンリンク送信に使用されない、前記第１のリソースのセットにおけるリソースは、前記オーバラップするリソースのセットのうちのすべてまたはサブセットを備える、請求項３１に記載の装置。
【請求項３５】
前記ダウンリンク送信の復調は、共通基準信号（ＣＲＳ）に基づく、請求項３４に記載の装置。
【請求項３６】
前記ダウンリンク送信に使用されない、前記第１のリソースのセットにおけるリソースは、すべての前記オーバラップするリソースのセットと、前記第１のリソースのセット内の少なくとも１つの更なるリソースとを備える、請求項３１に記載の装置。
【請求項３７】
前記少なくとも１つの更なるリソースは、前記オーバラップするリソースのセットと同じリソース・ブロックのセットにある、請求項３６に記載の装置。
【請求項３８】
前記無線通信ネットワークは、ヘテロジニアスなネットワークを備え、
前記第１のセルと前記第２のセルとは、異なる電力クラスのタイプからなる、請求項３１に記載の装置。
【請求項３９】
前記ダウンリンク送信は、物理ダウンリンク共有チャネル（ＰＤＳＣＨ）を用いる、請求項３１に記載の装置。
【請求項４０】
前記ＰＤＳＣＨの符号化されたシンボルと、変調されたシンボルとのマッピングは、前記第１のリソースのセットにあるが前記第３のリソースのセットにはないリソースを用いない、請求項３９に記載の装置。
【請求項４１】
前記ダウンリンク送信の符号化されたシンボルと変調されたシンボルとのマッピングは、前記第１のリソースのセットにおけるリソースを用い、
前記第１のリソースのセットにおけるリソースを用いるが前記第３のリソースのセットにおけるリソースを用いない送信が、ゼロ電力で実行される、請求項３９に記載の装置。
【請求項４２】
前記少なくとも１つのプロセッサはさらに、前記第１のセルと前記第２のセルとの間で、バックホール接続を介して、前記第１のリソースのセットまたは前記第２のリソースのセットのうちの少なくとも１つに関する情報を交換するように構成された、請求項３１に記載の装置。
【請求項４３】
前記第１のセルにおける前記ダウンリンク送信は、共通基準信号（ＣＲＳ）、チャネル状態情報基準信号（ＣＳＩ−ＲＳ）、またはこれらの組み合わせのうちの少なくとも１つを備える、請求項３１に記載の装置。
【請求項４４】
前記第１のセルにおける前記ダウンリンク送信は、ほとんどブランクであるサブフレーム（ＡＢＳＦ）で送信される、請求項３１に記載の装置。
【請求項４５】
前記第１のセルのキャリアは、ロング・ターム・イボリューションのリリース９またはそれ以前のリリースとの後方互換性を持たない拡張キャリアまたはキャリア・セグメントのうちの少なくとも１つを備える、請求項３１に記載の装置。
【請求項４６】
格納された命令群を有するコンピュータ読取可能な記憶媒体を備える、無線通信のためのコンピュータ・プログラム製品であって、
前記命令群は、
第１のセル内の１または複数の第１のユーザ機器（ＵＥ）へのダウンリンク送信のための第１のリソースのセットを決定し、
第２のセル内の１または複数の第２のＵＥへブロードキャスト信号を送信する際に使用するための第２のリソースのセットを決定し、ここで、前記第１のリソースのセットと、前記第２のリソースのセットとは、時間および周波数において少なくとも部分的にオーバラップする、オーバラップするリソースのセットを備える、
前記第１のセルにおける前記ダウンリンク送信のために、第３のリソースのセットを割り当てる、ここで、前記第３のリソースのセットは、前記オーバラップするリソースのセットに、少なくとも部分的に基づく、
ためのプロセッサによって実行可能である、コンピュータ・プログラム製品。
【発明の詳細な説明】
【優先権の主張】
【０００１】
本願は、本特許出願の譲受人に譲渡され、本明細書において参照によって明確に組み込まれ２００９年１２月１８日に出願された「ヘテロジニアスなネットワークにおけるブロードキャスト信号の保護」（Protection Of Broadcast Signals In Heterogeneous Networks）と題された米国仮特許出願６１／２８８，１５４号の優先権を主張する。
【技術分野】
【０００２】
本開示は、一般に、通信に関し、さらに詳しくは、マルチ・キャリア無線通信ネットワークにおける電力制御に関する。
【背景技術】
【０００３】
無線通信ネットワークは、例えば音声、ビデオ、パケット・データ、メッセージング、ブロードキャスト等のようなさまざまな通信コンテンツを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクで１または複数のＵＥへデータを送信し、アップリンクで１または複数のＵＥからデータを受信する。ダウンリンクにおいては、基地局からのデータ送信が、近隣の基地局からのデータ送信による干渉を観察しうる。アップリンクにおいては、ＵＥからのデータ送信が、近隣の基地局と通信する他のＵＥからのデータ送信による干渉を観察しうる。ダウンリンクとアップリンクとの両方について、干渉元の基地局および干渉元のＵＥによる干渉が、パフォーマンスを低下させうる。
【発明の概要】
【０００６】
本開示のある態様は、無線通信ネットワークにおける無線通信のための方法を提供する。この方法は一般に、第１のセル内の１または複数の第１のユーザ機器（ＵＥ）へのダウンリンク送信のための第１のリソースのセットを決定することと、第２のセル内の１または複数の第２のＵＥへブロードキャスト信号を送信する際に使用するための第２のリソースのセットを決定することと、ここで、第１のリソースのセットと、第２のリソースのセットとは、時間および周波数において少なくとも部分的にオーバラップする、オーバラップするリソースのセットを備える、第１のセルにおけるダウンリンク送信のために、第３のリソースのセットを割り当てることと、ここで、第３のリソースのセットは、オーバラップするリソースのセットに、少なくとも部分的に基づく、を含む。
【０００７】
本開示のある態様は、無線通信ネットワークにおける無線通信のための装置を提供する。この装置は、一般に、第１のセル内の１または複数の第１のユーザ機器（ＵＥ）へのダウンリンク送信のための第１のリソースのセットを決定する手段と、第２のセル内の１または複数の第２のＵＥへブロードキャスト信号を送信する際に使用するための第２のリソースのセットを決定する手段と、ここで、第１のリソースのセットと、第２のリソースのセットとは、時間および周波数において少なくとも部分的にオーバラップする、オーバラップするリソースのセットを備える、第１のセルにおけるダウンリンク送信のために、第３のリソースのセットを割り当てる手段と、ここで、第３のリソースのセットは、オーバラップするリソースのセットに、少なくとも部分的に基づく、を含む。
【０００８】
本開示のある態様は、無線通信ネットワークにおける無線通信のための装置を提供する。この装置は、一般に、第１のセル内の１または複数の第１のユーザ機器（ＵＥ）へのダウンリンク送信のための第１のリソースのセットを決定し、第２のセル内の１または複数の第２のＵＥへブロードキャスト信号を送信する際に使用するための第２のリソースのセットを決定し、ここで、第１のリソースのセットと、第２のリソースのセットとは、時間および周波数において少なくとも部分的にオーバラップする、オーバラップするリソースのセットを備える、第１のセルにおけるダウンリンク送信のために、第３のリソースのセットを割り当てる、ここで、第３のリソースのセットは、オーバラップするリソースのセットに、少なくとも部分的に基づく、ように構成された少なくとも１つのプロセッサと、少なくとも１つのプロセッサに接続されたメモリと、を含む。
【０００９】
本開示のある実施形態は、格納された命令群を有するコンピュータ読取可能な媒体を備える、無線通信のためのコンピュータ・プログラム製品を提供する。これら命令群は、一般に、第１のセル内の１または複数の第１のユーザ機器（ＵＥ）へのダウンリンク送信のための第１のリソースのセットを決定し、第２のセル内の１または複数の第２のＵＥへブロードキャスト信号を送信する際に使用するための第２のリソースのセットを決定し、ここで、第１のリソースのセットと、第２のリソースのセットとは、時間および周波数において少なくとも部分的にオーバラップする、オーバラップするリソースのセットを備える、第１のセルにおけるダウンリンク送信のために、第３のリソースのセットを割り当てる、ここで、第３のリソースのセットは、オーバラップするリソースのセットに、少なくとも部分的に基づく、ために、プロセッサによって実行可能である。
【図面の簡単な説明】
【００１０】
【図１】図１は、本開示のある態様にしたがう、ヘテロジニアスな無線通信ネットワークの例を例示する。
【図２】図２は、本開示のある態様にしたがう、アクセス・ポイントおよびアクセス端末の構成要素の例のブロック図を例示する。
【図３】図３は、本開示のある態様にしたがう、無線通信システムの構成要素の例を例示する。
【図４】図４は、本開示のある態様にしたがって、リソースを割り当てるための動作の例を例示する。
【図５】図５は、本開示のある態様にしたがうキャリア・セグメントと拡張キャリアとの例を例示する。
【図６】図６は、本開示のある態様にしたがう、拡張物理ダウンリンク共有チャネル・リソースの例を例示する。
【図７】図７は、本開示のある態様にしたがう、保護されるべきブロードキャスト信号を備えたＦＤＤフレームの例を例示する。
【発明を実施するための形態】
【００１１】
さまざまな態様が、図面を参照して記載される。以下の記載では、説明の目的のために、１または複数の態様の完全な理解を提供するために、多くの具体的な詳細が述べられる。しかしながら、このような態様（単数または複数）は、これら具体的な詳細無しで実現されることが認識されるだろう。
【００１２】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能な媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００１３】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末（単数または複数）と通信するために利用され、アクセス・ポイント、ノードＢ、ｅノードＢ（ｅＮＢ）、あるいはその他いくつかの用語で称されうる。
【００１４】
さらに、用語「または」は、排他的な「または」ではなく、包括的な「または」を意味することが意図されている。すなわち、別に示されていない場合、あるいは、コンテキストから明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることがコンテキストから明らかではない場合、一般に、「１または複数」を意味するものと解釈されるべきである。
【００１５】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。
【００１６】
ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現する。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。
【００１７】
単一キャリア変調および周波数領域等値化を利用するシングル・キャリア周波数分割多元接続（ＳＣ−ＦＤＭＡ）は、ＯＦＤＭＡシステムのものと同等のパフォーマンスと、実質的に同じ全体的な複雑さとを持つ技術である。ＳＣ−ＦＤＭＡ信号は、固有のシングル・キャリア構造により、低いピーク対平均電力比（ＰＡＰＲ）を有する。ＳＣ−ＦＤＭＡは、送信電力効率の観点において、低いＰＡＰＲがモバイル端末に有益となるアップリンク通信において特に、大きな注目を集めた。
【００１８】
図１は、本開示のさまざまな態様が実現されうるヘテロジニアスな無線ネットワーク１００の例を例示する。
【００１９】
無線通信ネットワーク１００は、ＬＴＥネットワークまたはその他いくつかの無線ネットワークでありうる。無線ネットワーク１００は、多くのイボルブド・ノードＢ（ｅＮＢ）１１０およびその他のネットワーク・エンティティを含みうる。ｅＮＢは、ＵＥと通信するエンティティであり、基地局、ノードＢ、アクセス・ポイント等とも称されうる。おのおののｅＮＢは、特定の地理的エリアのために通信有効範囲を提供する。３ＧＰＰでは、用語「セル」は、この用語が使用されるコンテキストに依存して、この有効通信範囲エリアにサービス提供しているｅＮＢおよび／またはｅＮＢサブシステムからなる有効通信範囲エリアを称しうる。
【００２０】
ｅＮＢは、マクロ・セル、ピコ・セル、フェムト・セル、および／または、その他のタイプのセルのために、通信有効通信範囲を提供しうる。マクロ・セルは、比較的大きな地理的エリア（例えば、半径数キロメータ）をカバーし、サービス加入を持つＵＥによる無制限のアクセスを許可しうる。ピコ・セルは、比較的小さな地理的エリアをカバーし、サービス加入を持つＵＥによる無制限のアクセスを許可しうる。フェムト・セルは、比較的小さな地理的エリア（例えば、自宅）をカバーし、フェムト・セルとの関連を持つＵＥ（例えば、クローズド加入者グループ（ＣＳＧ）におけるＵＥ）による無制限のアクセスを許可しうる。マクロ・セルのためのｅＮＢは、マクロｅＮＢと称されうる。ピコ・セルのためのｅＮＢは、ピコｅＮＢと称されうる。フェムト・セルのためのｅＮＢは、フェムトｅＮＢまたはホームｅＮＢ（ＨｅＮＢ）と称されうる。図１に示す例では、ｅＮＢ１１０ａは、マクロ・セル１０２ａのためのマクロｅＮＢであり、ｅＮＢ１１０ｂは、ピコ・セル１０２ｂのためのピコｅＮＢであり、ｅＮＢ１１０ｃは、フェムト・セル１０２ｃのためのフェムトｅＮＢでありうる。ｅＮＢは、１または複数（例えば３つ）のセルをサポートしうる。「ｅＮＢ」、「基地局」、および「セル」という用語は、本明細書において置換可能に使用されうる。
【００２１】
無線ネットワーク１００はさらに、中継局をも含みうる。リレーは、データの伝送を上流局（例えば、ｅＮＢまたはＵＥ）から受信し、データの伝送を下流局（例えば、ＵＥまたはｅＮＢ）へ送信するエンティティである。リレーまた、他のＵＥのための送信を中継するＵＥでもありうる。図１に示される例において、リレー１１０ｄは、ｅＮＢ１１０ａとＵＥ１２０ｄとの間の通信を容易にするために、バックホール・リンクを介してマクロｅＮＢ１１０ａと、アクセス・リンクを介してＵＥ１２０ｄと通信しうる。リレーはまた、中継ｅＮＢ、中継局、中継基地局等とも称されうる。
【００２２】
無線ネットワーク１００はまた、例えば、マクロｅＮＢ、ピコｅＮＢ、フェムトｅＮＢ、中継ｅＮＢ等のような異なるタイプのｅＮＢを含むヘテロジニアスなネットワークでありうる。これら異なるタイプのｅＮＢは、異なる送信電力レベル、異なる有効通信範囲サイズ、および、無線ネットワーク１００内の干渉に対する異なるインパクトを有しうる。例えば、マクロｅＮＢは、高い送信電力レベル（例えば、５乃至４０ワット）を有する一方、ピコｅＮＢ、フェムトｅＮＢ、およびリレーは、低い送信電力レベル（例えば、０．１乃至２ワット）を有しうる。
【００２３】
ネットワーク・コントローラ１３０は、ｅＮＢのセットに接続しており、これらｅＮＢに対して調整および制御を提供しうる。ネットワーク・コントローラ１３０は、単一のネットワーク・エンティティであるか、ネットワーク・エンティティの集合でありうる。ネットワーク・コントローラ１３０は、バックホールを介してｅＮＢと通信しうる。ｅＮＢはまた、例えば、ダイレクトに、または、無線または有線のバックホールを介して非ダイレクトに、互いに通信しうる。
【００２４】
無線ネットワーク１００の全体にわたって、多くのＵＥ１２０が分布しうる。そして、おのおののＵＥは、固定式または移動式でありうる。ＵＥは、移動局、端末、アクセス端末、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、スマート・フォン、ネットブック、スマートブック等でありうる。ＵＥは、マクロｅＮＢ、ピコｅＮＢ、フェムトｅＮＢ、リレー等と通信することができうる。ＵＥはまた、別のＵＥとピア・トゥ・ピア（Ｐ２Ｐ）を通信することができうる。図１に示された例では、ＵＥ１２０ｅ、１２０ｆが、無線ネットワーク１００内のｅＮＢと通信することなく、互いにダイレクトに通信しうる。Ｐ２Ｐ通信は、ＵＥ間のローカルな通信のために、無線ネットワーク１００における負荷を低減しうる。また、ＵＥ間のＰ２Ｐ通信によって、１つのＵＥは、他のＵＥのためのリレーとして動作できるようになるので、他のＵＥが、ｅＮＢに接続することが可能になる。
【００２５】
図１では、２つの矢印を持つ実線が、ダウンリンクおよび／またはアップリンクでＵＥにサービス提供するように指定されたｅＮＢであるサービス提供ｅＮＢと、ＵＥとの間の所望の送信を示す。２つの矢印を持つ破線は、ＵＥとｅＮＢとの間の干渉送信を示す。
【００２６】
ＵＥは、複数のｅＮＢの有効通信範囲内に存在しうる。これらのｅＮＢのうちの１つは、ＵＥにサービス提供するために選択されうる。サービス提供ｅＮＢは、例えば受信信号強度、受信信号品質、経路喪失等のようなさまざまな基準に基づいて選択されうる。受信信号品質は、信号対雑音および干渉比（ＳＩＮＲ：signal-to-noise-and-interference ratio）、または基準信号受信品質（ＲＳＲＱ：reference signal received quality）、またはその他のメトリックによって定量化されうる。
【００２７】
ＵＥは、１または複数の干渉元のｅＮＢからの高い干渉を観察しうる支配的な干渉シナリオで動作しうる。支配的な干渉シナリオは、制限された関連付けによって生じうる。例えば、図１では、ＵＥ１２０ｃが、フェムトｅＮＢ１１０ｃの近くにあり、ｅＮＢ１１０ｃに関し高い受信電力を有しうる。しかしながら、ＵＥ１２０ｃは、制限された関連付けによって、フェムトｅＮＢ１１０ｃへアクセスすることができず、低い受信電力のマクロｅＮＢ１１０ａに接続しうる。ＵＥ１２０ｃは、その後、ダウンリンクで、フェムトｅＮＢ１１０ｃからの高い干渉を観察し、アップリンクで、フェムトｅＮＢ１１０ｃへの高い干渉を引き起こしうる。
【００２８】
支配的な干渉シナリオはまた、範囲拡張によっても生じうる。これは、経路喪失が低く、かつ、ＵＥによって検出されたすべてのｅＮＢの中でも恐らくはＳＩＮＲが低いｅＮＢにＵＥが接続するシナリオである。例えば、図１では、ＵＥ１２０ｂは、マクロｅＮＢ１１０ａよりもピコｅＮＢ１１０ｂの近くに配置され、ピコｅＮＢ１１０ｂに関し低い経路喪失しか有さない。しかしながら、ＵＥ１２０ｂは、マクロｅＮＢ１１０ａと比較してピコｅＮＢ１１０ｂの送信電力レベルが低いことによって、ピコｅＮＢ１１０ｂについて、マクロｅＮＢ１１０ａよりも低い受信電力しか有さない。それにも関わらず、ＵＥ１２０ｂは、低い経路喪失によって、ピコｅＮＢ１１０ｂに接続することが望ましいことがありうる。この結果、ＵＥ１２０ｂにとって、所与のデータ・レートの場合、無線ネットワークへの干渉が低くなりうる。
【００２９】
支配的な干渉シナリオにおける通信をサポートするために、さまざまな干渉管理技術が使用されうる。これらの干渉管理技術は、準静的リソース分割（これは、セル間干渉調整（ＩＣＩＣ：inter-cell interference coordination）と称されうる）、動的リソース割当、干渉除去等を含みうる。準静的リソース分割は、リソースを異なるセルへ割り当てるために（例えば、バックホール・ネゴシエーションによって）実行されうる。これらリソースは、サブフレーム、サブ帯域、キャリア、リソース・ブロック、送信電力等を含みうる。セルはそれぞれ、他のセルまたはこれらＵＥからの干渉がほとんど観察されないか、または、まったく観察されないリソースのセットを割り当てられる。動的なリソース割当はまた、ダウンリンクおよび／またはアップリンクで強い干渉を観察しているＵＥのための通信をサポートするために必要とされるようなリソースを割り当てるために、（例えば、セルとＵＥとの間のオーバ・ザ・エア・メッセージを交換することによって）実行されうる。干渉除去はまた、干渉元のセルからの干渉を緩和するためにＵＥによって実行されうる。
【００３０】
無線ネットワーク１００は、ダウンリンクおよびアップリンクにおけるデータ送信のために、ハイブリッド自動反復要求（ＨＡＲＱ）をサポートしうる。ＨＡＲＱの場合、パケットが受信機（例えば、ＵＥ）によって正確に復号されるか、または、その他の終了条件に到達するまで、送信機（例えば、ｅＮＢ）は、パケットの１または複数の伝送を送りうる。同期ＨＡＲＱの場合、パケットのすべての送信が、単一のＨＡＲＱインタレースのサブフレームで送信されうる。これは、Ｑ番目毎のサブフレームを含みうる。ここで、Ｑは、４、６、８、１９、またはその他いくつかの値に等しくなりうる。非同期ＨＡＲＱの場合、パケットの送信はそれぞれ、任意のサブフレームで送られうる。
【００３１】
無線ネットワーク１００は、同期動作または非同期動作をサポートしうる。同期動作の場合、ｅＮＢは、類似したフレーム・タイミングを有し、異なるｅＮＢからの送信は、時間的にほぼ揃えられうる。非同期動作の場合、ｅＮＢは、異なるフレーム・タイミングを有し、異なるｅＮＢからの送信は、時間的に揃えられない場合がある。
【００３２】
無線ネットワーク１００は、ＦＤＤまたはＴＤＤを利用しうる。ＦＤＤの場合、ダウンリンクとアップリンクは、個別の周波数チャネルを割り当てられ、ダウンリンク送信およびアップリンク送信は、２つの周波数チャネルで同時に送信されうる。ＴＤＤの場合、アップリンクとダウンリンクとが同じ周波数チャネルを共有し、ダウンリンク送信およびアップリンク送信が、異なる期間において、同じ周波数チャネルで送信されうる。
【００３３】
（ヘテロジニアスなネットワークにおけるブロードキャスト信号の保護）  
例示されるように、ある態様によれば、ヘテロジニアスな無線ネットワーク１００における別のｅＮＢは、拡張キャリアおよび／またはキャリア・セグメントを適用することによって、ＵＥのための物理ダウンリンク共有チャネル（ＰＤＳＣＨ）に割り当てられるリソースを「拡張」するように構成されうる。例示されるように、マクロｅＮＢ１１０ａは、フェムト・セル１０２ｃにおいてサービス提供されているＵＥによって使用されている成分キャリアの一部を割り当てることによって、ＵＥ１２０ｃのためのＰＤＳＣＨを拡大する方式で、ＰＤＣＣＨ１３２によってリソースを割り当てうる。同様に、マクロｅＮＢ１１０ｂは、マクロ・セル１０２ａにおいてサービス提供されているＵＥによって使用されている成分キャリアの一部を割り当てることによって、ＵＥ１２０ｂのためのＰＤＳＣＨを拡大する方式で、ＰＤＣＣＨ１３４によってリソースを割り当てうる。
【００３４】
以下にさらに詳しく記載されるように、この割当は、適切な動作のための信頼できる復号を行うためにＵＥが必要とするブロードキャスト信号を「保護」するように設計される方式でなされうる。この保護は、第２のセル（「干渉を受けるセル」）におけるブロードキャスト信号のために割り当てられたリソースとオーバラップする、第１のセル（「干渉元のセル」）におけるダウンリンク送信のために使用されるリソースを注意深く割り当てることによって達成されうる。
【００３５】
例として、キャリアを活用する場合、いくつかのセル（例えば、低電力クラス・ノード）のあるブロードキャスト信号（例えば、ＰＢＣＨ／ＰＳＳ／ＳＳＳ）の送信は、干渉元のセルからのダウンリンク送信が、ブロードキャスト信号のために使用されるリソース・ブロック（ＲＢ）を用いることを回避できるように、リソースを割り当てることによって、いくつかの干渉元のセル（例えば、高電力クラス・ノード）から保護されうる。以下に詳細に記載されるように、この保護を達成するためのさまざまなオプションが存在しうる。
【００３６】
１つの例示的であるが限定しない例として、第１のセルは、物理ダウンリンク共有チャネル（ＰＤＳＣＨ）のための第１の成分キャリア（ＣＣ：component carrier）のリソースを利用し、第２のＣＣのリソースを利用することによって、ＰＤＳＣＨを「拡張」しうる。拡張されたＰＤＳＣＨのために使用される第２のＣＣのリソースは、第２のセルにおいてブロードキャスト信号を送信するために使用されるリソースとオーバラップしうる。したがって、ブロードキャスト信号は、第２のセルにおけるブロードキャスト信号のために使用されるリソースとの干渉の回避を試みる方式で、ＰＤＳＣＨを拡張するために使用される第２のＣＣのリソースを割り当てることによって保護されうる。
【００３７】
図２は、無線システム２００の例における典型的な基地局２１０とアクセス端末２５０との構成要素の例を示すブロック図２００である。基地局２１０は、例えば、図１に例示されるｅＮＢ１１０のうちの１つのようなｅＮＢまたはアクセス・ポイントでありうる。そして、アクセス端末２５０は、図１に例示されるＵＥ１２０のうちの１つのようなユーザ機器でありうる。
【００３８】
基地局２１０では、多くのデータ・ストリームのためのトラフィック・データが、データ・ソース２１２から送信（ＴＸ）データ・プロセッサ２１４へ提供される。プロセッサ２３０は、ＡＴ２５０に送信されるべき制御情報を生成しうる。例示されるように、プロセッサ２３０は、異なるリソースが、ヘテロジニアスなネットワーク内の異なるセル間でどのように割り当てられるのかを示すリソース割当情報を受信しうる。ある態様によれば、リソース割当情報は、異なるセル（例えば、「干渉を受けるセル」）においてブロードキャスト信号を送信するために使用されるリソースのセットを示しうる。以下に記載されるように、この情報は、現在のセルにおけるダウンリンク送信のためにリソースを割り当てることによって、ブロードキャスト信号を保護するために使用されうるので、他のセル内のブロードキャスト信号とは互いに干渉しない。
【００３９】
リソース割当情報は、例えば、（図２に示さない）バックホール接続によって交換されうる。そして、リソース・ネゴシエーションの結果でありうる。このため、変動するネットワーク条件とともにネゴシエーションが変化すると、リソース割当情報は、経時的に変動しうる。いずれの場合も、プロセッサ２３０は、ＰＤＳＣＨ（または拡張されたＰＤＳＣＨ）として使用するためにＡＴ２５０にリソースを割り当てるためにダウンリンク送信で送られる適切なＰＤＣＣＨを生成するために、この情報を利用しうる。
【００４０】
ＴＸデータ・プロセッサ２１４は、符号化されたデータを提供するためにデータ・ストリームのために選択された特定の符号化スキームに基づいて、各データ・ストリームのためのトラフィック・データをフォーマットし、符号化し、インタリーブする。制御情報、および、データ・ストリームについて符号化されたデータは、ＯＦＤＭ技術を用いてパイロット・データと多重化されうる。
【００４１】
パイロット・データは一般に、既知の手法で処理される既知のデータ・パターンであり、チャネル応答を推定するために受信機システムにおいて使用されうる。各データ・ストリームの多重化されたパイロットおよび符号化されたデータは、その後、変調シンボルを提供するためにデータ・ストリームについて選択された特定の変調スキーム（例えば、バイナリ・フェーズ・シフト・キーイング（ＢＰＳＫ）、直交フェーズ・シフト・キーイング（ＱＰＳＫ）、Ｍが一般に２の累乗であるＭ−ＰＳＫ、またはＭ−ＱＡＭ（直交振幅変調））に基づいて変調（すなわち、シンボル・マップ）される。おのおののデータ・ストリームのデータ・レート、符号化、および変調は、メモリ２３２に接続されうるプロセッサ２３０によって実行される命令群によって決定されうる。
【００４２】
すべてのデータ・ストリームの変調シンボルは、（例えば、ＯＦＤＭのために）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある態様では、ＴＸ  ＭＩＭＯプロセッサ２２０は、データ・ストリームのシンボル、および、このシンボルが送信されるアンテナへ、ビームフォーミング重みを適用する。
【００４３】
送信機２２２は、１または複数のアナログ信号を提供するために、それぞれのダウンリンク成分キャリアのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００４４】
アクセス端末２５０では、ダウンリンク成分キャリアについて送信された変調信号が、ＮＲ個のアンテナ２５２ａ乃至２５２ｒによって受信され、おのおののアンテナ２５２から受信されたこれら信号が、受信機２５４ａ乃至２５４ｒのうちのそれぞれの受信機（ＲＣＶＲ）へ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００４５】
ＲＸデータ・プロセッサ２６０は、ＮＲ個の受信機２５４からＮＲ個のシンボル・ストリームを受信し、受信したＮＲ個のシンボル・ストリームを、特定の受信機処理技術に基づいて処理して、ＮＴ個の検出済みシンボル・ストリームを提供する。その後、例えば、ＰＤＳＣＨおよびブロードキャスト信号（これは、ここで記載されているように、潜在的に干渉をもたらすセルにおける注意深いリソース割当によって保護されうる）を含む制御情報およびトラフィック・データを復元するために、ＲＸデータ・プロセッサ２６０が、構成された各成分キャリアについて検出された各データ・シンボルを復調し、逆インタリーブし、復号する。
【００４６】
ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。プロセッサ２７０は、（後述するように）どのプリコーディング行列を使用するのかを定期的に決定する。プロセッサ２７０は、行列インデクス部およびランク値部を備えたアップリンク・メッセージを規定する。
【００４７】
プロセッサ２７０は、例えば、ＰＤＳＣＨ（または拡張されたＰＤＳＣＨ）およびブロードキャスト信号のための、リソース割当情報を受信しうる。プロセッサ２７０は、これら信号のためにどのリソースが使用されるのかを、この情報に基づいて決定しうる。
【００４８】
アップリンク（逆方向リンク）メッセージは、通信リンクおよび／または受信されたデータ・ストリームに関するさまざまなタイプの情報を備えうる。アップリンク・メッセージは、その後、多くのデータ・ストリームに関するトラフィック・データをデータ・ソース２３６から受け取るＴＸデータ・プロセッサ２３８によって処理され、変調器２８０によって変調され、送信機２５４ａ乃至２５４ｒによって調整されうる。
【００４９】
送信機システム２１０では、アクセス端末２５０からのアップリンク送信が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。プロセッサ２３０は、その後、ビームフォーミング重みを決定するためにどのプリコーディング行列を使用するかのようなさまざまなパラメータを決定し、抽出されたメッセージを処理し続ける。
【００５０】
前述したように、マルチ・キャリア動作がサポートされるシステムでは、ＵＥは、複数の成分キャリア（ＣＣ）をモニタし、これら複数のＣＣによってサービス提供されうる。このようなシステムでは、効率的な制御を提供するために、キャリア間シグナリングがサポートされうる。これは特に、変動する電力レベルで送信するアクセス・ポイントを有する異なるタイプのセル（例えば、マクロ・セル、ピコ・セル、およびフェムト・セル）がオーバレイされる、ヘテロジニアスなネットワークのコンテキストにおいて望ましい。
【００５１】
例えば、以前の規格のバージョンとの互換性を持つＵＥ（「レガシー」ＵＥ）への後方互換性を提供するために、別のタイプのＣＣが存在しうる。ＣＣのこのような組み合わせは、高められたＵＥスループットのみならず、ヘテロジニアスなネットワークのために特により効率的な干渉管理をももたらしうる。ここに記載したように、ＣＣのリソースの一部（例えば、キャリア・セグメントまたは拡張キャリア）は、（非レガシー）ＵＥのＰＤＳＣＨを拡張するために使用されうる。
【００５２】
ある態様によれば、第１のセルにおいてダウンリンク送信のために使用されるＣＣの一部と、第２のセルにおいてブロードキャスト信号を送信するために使用される同じＣＣのリソースとの間の干渉を低減するために、注意が払われうる。これらブロードキャスト信号は、例えば、物理ブロードキャスト・チャネル（ＰＢＣＨ）、１次同期信号（ＰＳＳ）、２次同期信号（ＳＳＳ）、共通基準信号（ＣＲＳ）、チャンネル状態情報基準信号（ＣＳＩ−ＲＳ）、等を含みうる。
【００５３】
図３は、１または複数の他のセルにおけるダウンリンク送信のためにも使用される１つのセルにおけるＣＣにおけるブロードキャスト送信を保護することができる通信システム３００の例を例示する。上述したように、これは、ブロードキャスト信号を用いる他のセル内のダウンリンク送信間の干渉を低減するために、別のリソースのセットが割り当てられる協調リソース割当によって達成されうる。図１におけるように、干渉する送信は、破線を用いて示されている。
【００５４】
例示するように、システム３００は、（本明細書で「干渉元の基地局」と称される）第１のセルの基地局３０２と、（本明細書で「干渉を受ける基地局」と称される）第２のセルの基地局３０４とを含む。基地局３０２／３０４およびＵＥ３０６は、おのおのが、図１−２に関連して記載されている基地局およびＵＥと類似の方式で動作しうる。ある態様によれば、マルチ・キャリア動作のために、基地局３０２または基地局３０４はＵＥ３０４のＰＤＳＣＨを、複数のキャリアにわたって拡張するために、割当情報を生成しうる。このような場合、割当は、同じＣＣ内のリソースを用いて送信されるその他のセル内の拡張されたＰＤＳＣＨとブロードキャスト信号との間の干渉を低減するために実行されうる。
【００５５】
例示されるように、干渉元の基地局３０２からの送信は、干渉を受ける基地局３０４からの送信と干渉し、例えば、干渉を受ける基地局３０４から送信された信号を適切に復号するために、ユーザ機器（ＵＥ）３０６の機能を妨げる。図示しないが、干渉元の基地局３０２および／または干渉を受ける基地局３０４に類似した任意の数の基地局が、システム３００に含まれるか、および／または、ＵＥ３０６に類似した任意の数のＵＥが、システム３００に含まれうることが考慮される。
【００５６】
システム３００は、異なる電力クラスのノード（例えば、干渉元の基地局３０２および干渉を受ける基地局３０４のような基地局）が共存しうるヘテロジニアスなネットワークでありうる。このようなシステムでは、ＵＥ（例えば、ＵＥ３０６または図示しない他のＵＥ）は、異なる電力クラスのセルからのノードから、ダウンリンクにおける強い干渉を観察しうる。例は、クローズド加入者グループ（ＣＳＧ）セルにおける場合であり、マクロＵＥは、ＣＳＧセルにアクセスすることが許可されていないが、ＣＳＧセルからの強いダウンリンク（ＤＬ）干渉を観察し、マクロＵＥのための有効通信範囲ホールを効果的に形成する。
【００５７】
さまざまな技術が、同一チャネル配置のコンテキストにおいてこのような干渉を低減するための干渉試行を管理するために適用されうる。例として、１または複数の基地局が、１または複数のサブフレームにおける送信を回避または制限する（よって、送信がブランクに見える）ブランクまたは「ほとんどブランク」なサブフレーム（ＡＢＳＦ）は、時分割多重化（ＴＤＭ）ベースのリソース管理を可能にしうる。干渉元のセルからの干渉は、ブランク・サブフレームによって低減されうる。「ほとんど」ブランクなサブフレームを用いることで、データ領域は完全にブランクとされうる。一方、制御領域は、物理制御フォーマット・インジケータ・チャネル（ＰＣＦＩＣＨ）しか有さず、物理ＨＡＲＱ  ＡＣＫ／ＮＡＫインジケータ・チャネル（ＰＨＩＣＨ）／物理ダウンリンク制御チャネル（ＰＤＣＣＨ）の送信を省略する。さらに、マクロ・セルの有効通信範囲を縮小する恐れがあるにも関わらず、ホモジニアスなネットワークを近似するために、高電力クラスのノードの送信電力が低減されうる。
【００５８】
多数のキャリアを使用することも、干渉を低減することに役立つ。この例によれば、干渉元の基地局３０２は、キャリア・アグリゲーション構成要素３０８を含みうる。そして、干渉を受ける基地局３０４は、キャリア・アグリゲーション構成要素３１０を含みうる。キャリア・アグリゲーション構成要素３０８およびキャリア・アグリゲーション構成要素３１０によって、ＵＥに隣接したスペクトルおよび／または非隣接のスペクトルの集合が、対応する物理レイヤ（ＰＨＹ）リソースへのアクセスを有することが可能となりうる。ある態様によれば、１つのキャリアから別のキャリアへのリソース割当が、ＰＤＣＣＨに組み込まれた合意された「キャリア・インジケータ・フィールド」を用いることによって可能とされうる。キャリア・アグリゲーション構成要素３０８およびキャリア・アグリゲーション構成要素３１０は、例えばキャリア拡張（セグメント）および拡張キャリアのような１または複数の非後方互換概念を実施しうる。
【００５９】
例示されるように、干渉を受ける基地局３０４はさらに、特定のＣＣにおいダウンリンクでブロードキャスト信号を送信しうるブロードキャスト構成要素３１２を含みうる。あいにく、干渉元の基地局３０２によって送信された物理ダウンリンク共有チャネル（ＰＤＳＣＨ）を用いたダウンリンク・データ送信は、ブロードキャスト信号を送信するために使用されるリソースとオーバラップしうる。
【００６０】
干渉を受ける基地局３０４のブロードキャスト信号とＰＤＳＣＨ送信との間の干渉を回避するために、干渉元の基地局３０２は、本明細書に記載された技術を用いて干渉を管理しうる干渉管理構成要素３１４を含みうる。ある態様によれば、干渉管理構成要素３１４は、バックホール・リンク３２０を介してブロードキャスト信号を送信するために、干渉を受ける基地局３０４によって利用されているリソースに関する情報を交換しうる。
【００６１】
図４は、本開示のある態様にしたがって、ブロードキャスト信号を保護するために、例えば干渉元の基地局３０４によって実行されうる動作４００の例を例示する。これら動作を実行している基地局は、図１−３のうちの何れかに関連して記載されている通りである。例えば、典型的な動作４００は、１または複数のプロセッサ（例えば、プロセッサ２３０）によって、または、１または複数の構成要素（例えば、構成要素３０８−３１４）によって指示されうる。
【００６２】
４０２では、基地局は、第１のセル内の１または複数の第１のユーザ機器（ＵＥ）へのダウンリンク送信のための第１のリソースのセットを決定する。４０４では、基地局は、第２のセル内の１または複数の第２のＵＥへブロードキャスト信号を送信する際に使用するための第２のリソースのセットを決定する。ここで、第１のリソースのセットと、第２のリソースのセットとは、時間および周波数において少なくとも部分的にオーバラップする、オーバラップするリソースのセットを備える。４０６では、基地局は、第１のセルにおけるダウンリンク送信のために、第３のリソースのセットを割り当てる。ここで、第３のリソースのセットは、オーバラップするリソースのセットに、少なくとも部分的に基づく。ある態様によれば、第３のリソースのセットは、第１のリソースのセットのサブセットを備えうる。ある態様によれば、第１のセットにおける（が、第３のセットにおけるリソースではない）リソースを利用する送信が、ゼロ電力で実行されうる（したがって、従来のマッピングが利用されうるものの、ブロードキャスト信号を保護するための電力制御を伴う）。
【００６３】
本明細書に記載された技術は、あるセルにおけるブロードキャスト信号を、他のセルにおけるダウンリンク送信による干渉から保護するために使用されうる。この保護は、干渉を受ける（または、干渉を受ける可能性のある）セルにおいてブロードキャスト信号を送信するために割り当てられたリソースの知見に基づいて、干渉元の（または、干渉元となる可能性のある）セルにおけるダウンリンク送信のためのリソースを注意深く割り当てることによって達成されうる。
【００６４】
例えばＬＴＥ「アドバンスト」（ＬＴＥ−Ａ）のようなさまざまなシステムにおいて、キャリア・アグリゲーションによって、ＵＥのための隣接したスペクトルまたは非隣接のスペクトルの集合が、対応するＰＨＹリソースへのアクセスを有することが可能となる。１つのキャリアから別のキャリアへのリソース割当が可能とされうる。例として、これは、ＰＤＣＣＨに埋め込まれた合意済キャリア・インジケータ・フィールド（ＣＩＦ）を用いることによって可能とされうる。別の例として、これは、集合におけるキャリアを、特に、以下に記載するキャリア拡張の場合、リソース割当に関する１つのキャリアとして取り扱うことによって、可能とされうる。
【００６５】
ＰＤＳＣＨを拡張するために、例えば、キャリア拡張（セグメント）および拡張キャリアのような、主要なＣＣ以外の異なるメカニズムが使用されうる。本明細書で使用されているように、キャリア・セグメントという用語は、一般に、既存の（例えば、ＬＴＥ  Ｒｅｌ−８互換）成分キャリア（一般に、合計して１１０ＲＢよりも大きくない）の帯域幅拡張として定義されているセグメントを称する。新たな送信帯域幅が、キャリア・アグリゲーション手段を補完する後方互換方式で必要とされる場合、キャリア・セグメントは、周波数リソースの利用を可能としうる。このメカニズムは、キャリア・アグリゲーション設定において必要となるであろう更なるＰＤＣＣＨ送信を低減し、また、セグメントに対応する部分のために、小さなサイズのＴＢを使用することを低減しうる。したがって、キャリア・セグメントは、オリジナルのキャリア帯域幅の後方互換性を維持しながら、成分キャリアへさらなるリソース・ブロックを集めることを可能にしうる。キャリア・セグメントは、１つの成分キャリアに常に隣接しているとして定義され、１つの成分キャリアにリンクされうる（そして、「スタント・アロン」では使用されない）。キャリア・セグメントはまた、その用途に限定され、例えば、同期信号、システム情報、またはページングを提供しない。
【００６６】
図５における図解５００は、ＬＴＥ  Ｒｅｌ．８と後方互換性があると例示された、成分キャリア（キャリア０）に隣接したキャリア・セグメント（セグメント１およびセグメント２）の例を例示する。ここに示すように、セグメントは、ＣＣの拡張であるので、拡張（単数または複数）を伴うＣＣは、単一のＨＡＲＱエンティティと考慮されうる。キャリア０におけるＰＤＣＣＨでは、ＰＤＳＣＨを拡張する際に使用するために、拡張のうちの１または複数の割り当てがなされうる。
【００６７】
拡張キャリアは、キャリア・セグメントと同様の思想で設計されうる。しかしながら、拡張キャリアは、（Ｒｅｌ−８  ＵＥとの）後方互換性があるか、またはない、実際の成分キャリア自身でありうる。２つの異なる成分キャリアである後方互換性キャリアおよび拡張キャリアは、独立したＨ−ＡＲＱ処理および伝送ブロックを仮定しうる。
【００６８】
図５における図解５２０は、後方互換性のある成分キャリア（キャリア０）にリンクされた拡張キャリア（キャリア１）の例を例示する。ここに示すように、拡張キャリアは、実際の成分キャリアでありうるので、独立したＨＡＲＱエンティティとして取り扱われうる。繰り返すが、キャリア０におけるＰＤＣＣＨでは、ＰＤＳＣＨを拡張する際に使用するために拡張キャリアの割り当てがなされうる。
【００６９】
図５に示すように、拡張キャリアおよびキャリア・セグメントは、後方互換成分キャリアにリンクされ、いくつかの場合には、スタンド・アロン方式では使用されない。同期信号、システム情報、ＵＥのためのページング、および、例えばＲｅｌ−８  ＰＤＣＣＨ、Ｒｅｌ−８  ＰＨＩＣＨ、およびＲｅｌ−８  ＰＣＦＩＣＨのようなさまざまな制御チャネルを伝送するために使用することを禁じるように、拡張キャリアおよび／またはセグメントの使用が制限されうる。さらに、これらの拡張メカニズムは、ランダム・アクセスまたはＵＥキャンピングにおける使用のために禁じられうる。拡張キャリアおよびセグメントは、ＬＴＥ  Ｒｅｌ  ８（「レガシー」）ＵＥによって認識されないし、および／または、アクセス可能でもない。
【００７０】
本明細書で提案されたヘテロジニアスなネットワーク（ＨｅｔＮｅｔ）におけるこれらのキャリア・アグリゲーション・メカニズムを使用することによって、高電力ノード（例えば、マクロＵＥ）および低電力ノード（例えば、フェムト／ピコ・ノードＵＥ）のためのスペクトルの準静的な分割が可能となりうる。ある態様によれば、拡張キャリアおよびキャリア・セグメントは、ＨｅｔＮｅｔのための干渉管理に適切でありうる。この場合、スペクトルの別の部分が、別のタイプのノードによって別に解釈されうる。
【００７１】
例えば、図６のリソース図６１０に例示するように、高電力ノードのための拡張ＰＤＳＣＨは、１つの後方互換キャリア（ＣＣ１）と、拡張ＰＤＳＣＨ領域とを備える。拡張ＰＤＳＣＨ領域は、少なくとも１つのキャリア・セグメント（ＣＳ１）または拡張キャリア（ＥＣ２）を備えるか、第２の成分キャリア（ＣＣ２）からなりうる。ある態様によれば、レガシーＵＥ（例えば、Ｒｅｌ−８またはそれ以前）はＣＣ１においてのみサービス提供されうるが、非レガシーＵＥ（Ｒｅｌ−９またはそれ以降）は、ＣＣ１とＣＳ１／ＥＣ２との両方によってサービス提供されうる。しかしながら、例示するように、ＣＳ１／ＥＣ２におけるリソースの割当は、ＣＣ１における制御領域６１２を介しうる。
【００７２】
図６における図解６１０は、高電力ノードの観点から利用可能なスペクトルの解釈の例を示すことが注目されるべきである。一方、図解６２０は、低電力ノードの観点からの同じスペクトルの解釈の例を示す。例示するように、拡張ＰＤＳＣＨは、低電力ノードの観点から、１つの後方互換キャリア（ＣＣ２）と、拡張キャリア（単数または複数）ＥＣ１またはキャリア・セグメント（単数または複数）ＣＳ２または成分キャリア（ＣＣ１）とを含みうる。この例では、後方互換性を持つＣＣ２が、制御領域を伝送し、ＥＣ１／ＣＳ２／ＣＣ１のためのリソースをシグナルしうる。この場合、ＣＣ２から割り当てられたＥＣ１／ＣＳ２／ＣＣ１におけるＰＤＳＣＨのマッピングは、ＣＣ２によってＵＥへ伝送されたＯＦＤＭシンボルから（または、固定されたＯＦＤＭシンボルにおいて）始まる。この例において、ＥＣ１／ＣＳ２は、制御領域を伝送せず、ＣＣ１が、通常の制御領域を伝送する。
【００７３】
上述したように、この構成では、スペクトルの別の部分が、別のタイプのノードによって別に解釈されうる。一般に、高電力ノードが、ＣＣ２を用いる低電力ノードの制御領域と衝突する、ＣＳ１またはＥＣ２を用いるシンボルにおいて、送信しないのであれば、ＣＣ２を用いる低電力ノードが、制御領域において干渉しないように、高電力ノードと低電力ノードとが構成されうる。
【００７４】
ある態様によれば、「拡張ＰＤＳＣＨ」のリソースは、（例えば、レガシー・ブロードキャスト信号が、低電力ノードによってＣＣ２で送信されうる）低電力ノード・ブロードキャスト信号と干渉する高電力ノード・データの回避を試みる方式で割り当てられうる。ある態様によれば、ブロードキャスト信号（またはリソース・ブロック（ＲＢ）全体）を送信するために使用されるＲＢにおけるシンボルは、拡張ＰＤＳＣＨを送信する場合に回避されうる。
【００７５】
例えば、ノードＢは、（例えば、バックホール接続を介して）リソース分割情報を交換することによって、（例えば、高電力ノードの制御領域に対応する）制御領域６２４で送信されたブロードキャスト信号と、高電力ノードの拡張ＰＤＳＣＨとの間の干渉を回避する方式で、リソースをスケジュールすることができうる。干渉回避は、例えば、別のノードのために、拡張ＰＤＳＣＨのためのリソースを割り当てる場合に、ＣＣ２において低電力ノードによってブロードキャスト信号を送信するために使用されるＲＢを回避することによって達成されうる。
【００７６】
高電力ノードのＣＳ１またはＥＣ２は、（例えば、ＬＴＥ  Ｒｅｌ−８またはそれ以前のものと互換性を持つ）「レガシーＵＥ」に透過でありうる一方、（例えば、Ｒｅｌ−１０またはそれよりも高度な、最近のリリースとの互換性を持つ）「非レガシーＵＥ」が、高電力ノードのＣＣ１（キャリア間シグナリング）で送信されるＰＤＣＣＨを用いてスケジュールされうる。ＣＳ１またはＥＣ２のデータ領域の送信電力は、干渉管理スキームに依存して、ＣＣ２のものよりも顕著に高くなりうるので、結果として、ＣＣ２に対して厳しい干渉をもたらす。この問題を緩和するために、含まれるセルを調整するために、バックホール情報交換またはリソース割当情報が使用されうる。
【００７７】
低電力クラスのノードの場合、ＣＣ２によってサービス提供されるＵＥは、適切な動作のためにＣＣ２から送信されたさまざまなブロードキャスト信号を確実に復号する必要がありうる。これらのブロードキャスト信号は、ＰＢＣＨ、ＰＳＳ、ＳＳＳ、ＣＲＳ等を含みうる。ＰＢＣＨ、ＰＳＳ、およびＳＳＳの送信は一般に、システム内の中央の６リソース・ブロックにおけるシンボルのうちのいくつかを占有する。これは図７に例示されている。これは、ＦＤＤシステムにおけるＰＢＣＨ、ＰＳＳ、およびＳＳＳのために利用されるリソースを図示するラジオ・フレームの例を示す。
【００７８】
例によれば、（潜在的に）干渉をもたらす基地局に対して、（例えば、干渉を受ける基地局３０４のブロードキャスト構成要素３１２によって送信されるような、）干渉を受けるセルのＰＢＣＨ／ＰＳＳ／ＳＳＳを伝送するシンボル／サブフレームと衝突しうるサブフレーム内の中央の６ＲＢにおけるシンボル（または、これらＲＢのグループ全体）を用いたダウンリンクにおける送信を回避させることによって、ブロードキャスト信号が保護されうる。干渉元の基地局３０２が、これら６ＲＢとオーバラップするＰＤＳＣＨをスケジュールする場合、干渉管理構成要素３１４は、これら６ＲＢを中心とするレート・マッチをとるか、または、これら６ＲＢをパンクチャし、これら６ＲＢ内において、残ったシンボルのみを用いるか、または、これら６ＲＢ全体を回避する。
【００７９】
ブロードキャスト信号を保護する別の例として、干渉元の基地局３０２において衝突するＰＤＳＣＨ（の復調）が、ＣＲＳに基づいているのであれば、干渉管理構成要素３１４は、ＰＤＳＣＨが、（例えば、干渉を受ける基地局３０４のブロードキャスト構成要素３１２によって送信されたような）干渉を受けるセルのＰＢＣＨ／ＰＳＳ／ＳＳＳのシンボルと衝突するシンボルを中心としてレート・マッチされるように構成されうる。一方、干渉元の基地局３０２において衝突するＰＤＳＣＨ（の復調）が、ＵＥ−ＲＳに基づいているのであれば、干渉構成要素３１４は、ＰＤＳＣＨが、オーバラップしているＲＢ全体を中心としてレート・マッチされるように構成されうるか、オーバラップしているＲＢ全体がパンクチャされうる。
【００８０】
別の例として、干渉元の基地局３０２は、干渉を受けるセルのためのＣＲＳトーンを中心としてレート・マッチされたＰＤＳＣＨを送信しうる。したがって、干渉管理構成要素３１４は、干渉元の基地局３０２に対して、関連付けられたＵＥへシグナルさせうる。
【００８１】
干渉元の基地局３０２は、ＰＤＳＣＨを送信し、干渉を受けるセルのためにＣＲＳトーンが送信されるトーンをパンクチャしうる。この動作は、干渉元の基地局３０２に関連付けられたＵＥに透過的でありうる。干渉元の基地局３０２は、干渉を受けるこれらセルに対する計画的な干渉に基づいて、これらＣＲＳトーンを選択的にパンクチャしうる。言い換えれば、干渉元の基地局３０２は、干渉防護を必要とするセルのＰＢＣＨ／ＰＳＳ／ＳＳＳ／ＣＲＳのシンボルと衝突している、対応するサブフレーム内のシンボルを少なくとも保存しうる。これによって、干渉を受けるセルによってサービス提供されているＵＥのための信頼性の高いブロードキャスト信号（例えば、ＰＢＣＨ／ＰＳＳ／ＳＳＳ）が可能となりうる。
【００８２】
他のセルからのブロードキャスト信号の送信を保護するために干渉を最小化することを目的として、干渉元の基地局が、いくつかのシンボルまたはＲＢを保存することを選択するか否かは、例えば、電力クラスの相違、アンテナ利得、関連するセル間の接近度、関連するセルにおけるＵＥ分布／チャネル条件、スケジューリング・アルゴリズム、サービス品質（ＱｏＳ）要件、および／または、１または複数のリソース管理スキーム、のようなさまざまな要因に依存しうる。また、より効率的な干渉管理のために、関連するセル間で、バックホール・リンクを介して保存情報が交換されうる。
【００８３】
いくつかの同期システムでは、異なるセルからのブロードキャスト信号が、互いに衝突しうることが注目されるべきである。あるいは、異なるセルのブロードキャスト信号が、同じサブフレームにおいて生じないか、および／または、単一のサブフレーム内でまったくオーバラップしないことがある。したがって、ブロードキャスト信号を保護するために、本明細書で記載されたリソース保存は、干渉を受けるセル内の複数のサブフレームにおよびうる。
【００８４】
他の態様によれば、ＰＢＣＨ、ＰＳＳ、およびＳＳＳに関して記載された上記技術はまた、今後のリリース（例えば、Ｒｅｌ−１０）に導入されうるチャネル状態情報−基準信号（ＣＳＩ−ＲＳ：Channel State Information - Reference Signal）にも適用されうる。
【００８５】
干渉を受ける複数のセルが、ブロードキャスト信号のために同じＲＥを有していない場合、干渉元のセルは、干渉を受ける複数のセルのためのブロードキャスト信号の保護を提供する必要があることも注目されうる。このような場合、ある態様によれば、干渉元のセルは、干渉を受けるセルのうちの１つのみ（あるいは、選択されたセットのみ）についてＲＥ保存を実行することを選択しうる。ある態様によれば、この選択は、例えばチャネル条件、負荷、ＱｏＳ等のようなさまざまな要因に基づきうる。このような情報は、バックホールを介して交換されうる。
【００８６】
この選択の例として、第１のセル（セル１）が第２および第３のセル（セル２およびセル３）と干渉する場合、保存は、セル２におけるブロードキャスト送信を保護するが、セル３におけるブロードキャスト送信を保護しない方式で、セル１のみがＲＥを保存できるようになる。この決定は、例えば、セル１からの干渉に対して、セル２が、セル３よりも感度が高いような条件に基づきうる。別の例によれば、セル１がセル２およびセル３と干渉する場合、保存は、セル１が、セル２とセル３との両方において（例えば、両方のためのＲＥを保存することによって）、ブロードキャスト送信を保護できるようになる。
【００８７】
本開示は、他のノードによるブロードキャスト信号送信を保護しながら、ヘテロジニアスなネットワークのコンテキストにおける拡張キャリアおよびキャリア・セグメントの適用を提供する。本明細書に記載されるように、スペクトルの別の部分が、別のタイプのノードによって、別に解釈されうる。
【００８８】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロプロセッサとすることができるが、代替案では、プロセッサを、任意の市販のプロセッサ、コントローラ、マイクロコントローラ、または順序回路とすることができる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００８９】
本開示に関連して記載される方法またはアルゴリズムのステップは、ハードウェアで直接的に、プロセッサによって実行されるソフトウェア・モジュールで、あるいは、これらの組み合わせで具体化されうる。ソフトウェア・モジュールは、当該技術分野において周知のすべての形式の記憶媒体に常駐することができる。使用できる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００９０】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００９１】
記載された機能は、ハードウェア、ソフトウェア、ファームウェア、あるいは、これらの任意の組み合わせによって実現されうる。ソフトウェアで実現される場合、これら機能は、コンピュータ読取可能な媒体に、１または複数の命令群として格納される。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるようなディスク（ｄｉｓｋおよびｄｉｓｃ）は、コンパクト・ディスク（ＣＤ）、レーザ・ディスク、光ディスク、デジタル多用途ディスク（ＤＶＤ）、フロッピー（登録商標）ディスク、およびＢｌｕ−ｒａｙ（登録商標）ディスクを含んでいる。ここで、ｄｉｓｋは通常、データを磁気的に再生する一方、ｄｉｓｃは、レーザを用いてデータを光学的に再生する。
【００９２】
例えば、そのようなデバイスを、本明細書で説明した方法を実行するための手段の転送を容易にするためにサーバに結合することができる。代替案では、本明細書で説明されるさまざまな方法を、記憶手段（例えば、ＲＡＭ、ＲＯＭ、コンパクト・ディスク（ＣＤ）またはフロッピー・ディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００９３】
特許請求の範囲は、前述した正確な構成および構成要素に限定されないことを理解されたい。さまざまな修正、変更、および変形を、特許請求の範囲のスコープから逸脱せずに、前述した方法および装置の構成、動作、および詳細において実施することができる。
【００９４】
前述したものは、本開示の態様に向けられているが、これら開示のその他およびさらなる態様が、本願の基本的な範囲から逸脱することなく考案され、この範囲は、以下に示す特許請求の範囲によって決定される。
【図１】
2013515396.tif 000003
【図２】
2013515396.tif 000004
【図３】
2013515396.tif 000005
【図４】
2013515396.tif 000006
【図５】
2013515396.tif 000007
【図６】
2013515396.tif 000008
【図７】
2013515396.tif 000009
【国際調査報告】
2013515396.tif 000010
2013515396.tif 000011